(57)【要約】【課題】部品に寸法のばらつき等がある場合でも足の指先等の異物がペダルケースとペダル本体との間の隙間に侵入するのを確実に防止することができるペダル装置を提供する。【解決手段】開口部を有するペダルケースと、基端側がペダルケース内に配置され、自由端側に配置された踏込部が開口部からペダルケースの外部に突出し、踏込部が踏み込み操作された際に下方に回動するペダル本体と、ペダル本体の外周に取り付けられ、踏込部が踏み込み操作された際にペダル本体と前記ペダルケースの開口部との間に生じる隙間を塞ぐように変形する変形部材とを備える。【選択図】図１
2015184682.tif 000002
【特許請求の範囲】
【請求項１】
開口部を有するペダルケースと、
基端側が前記ペダルケース内に配置され、自由端側に配置された踏込部が前記開口部から前記ペダルケースの外部に突出するとともに、前記踏込部が踏み込み操作された際に下方に回動するペダル本体と、
前記ペダル本体の外周に取り付けられ、前記踏込部が踏み込み操作された際に前記ペダル本体と前記ペダルケースの前記開口部との間に生じる隙間を塞ぐように変形する変形部材と、
を備えることを特徴とするペダル装置。
【請求項２】
前記変形部材は、袋状の収容部材と、この収容部材内に収容され前記収容部材内において流動可能な流動体とで構成されており、
前記変形部材は、前記踏込部が踏み込み操作された際に前記ペダル本体の下側に配置されていた前記流動体が前記収容部材内を上方に流動することにより変形することを特徴とする請求項１に記載のペダル装置。
【請求項３】
前記変形部材は、前記踏込部が踏み込み操作された際に前記ペダル本体の下側に配置されている部分が押圧されることにより前記ペダル本体の上方に膨出変形することを特徴とする請求項１に記載のペダル装置。
【請求項４】
前記変形部材は、前記ペダルケースにおける前記開口部の内側又は外側に配置されていることを特徴とする請求項１から請求項３のいずれか一項に記載のペダル装置。
【発明の詳細な説明】
【技術分野】
【０００１】
本発明は、ペダル装置に関するものである。
【背景技術】
【０００２】
従来、基端側がペダルケース内に配置され、自由端側がペダルケースの開口部から外部に突出し踏み込み操作される踏込部となっているペダル本体を備えるペダル装置が知られている。
このようなペダル装置では、ペダルケースの開口部とペダル本体との間に隙間が生じることがあり、特に踏込部の踏み込み操作時には、ペダル本体が下方に押し下げられる分、この隙間が大きくなる。
【０００３】
ペダル装置は足で操作されるものであるため、この隙間に足の指先等が侵入するおそれがあり、指先等がペダルケースとペダル本体との間に挟まれて怪我をするおそれがある。
また、ペダル装置は床の上に置かれるため、隙間から埃等がペダルケース内に侵入するおそれもあり、埃等が隙間から装置内に侵入すると故障等の原因にもなり得る。
【０００４】
こうした隙間からの異物（足の指先や埃等）の侵入を防ぐ構成として、例えば、特許文献１には、ペダルケース内から外部に向けてペダル本体が突出する箇所であって、ペダルケースとペダル本体との間に生じる隙間に対応する箇所に、ペダル本体の踏み込み操作時における異物の挿入を防ぐための異物挿入防止部を設けることが提案されている。
具体的には、隙間への異物の侵入を防止する挿入防止部がペダルケースの開口部の上部から垂設され、この垂下された挿入防止部の下部がペダル本体に設けられたスリット状の挿入孔内に上下方向に移動可能に挿入される構成や、ペダル本体の上面にペダルケースの開口部を塞ぐ挿入防止部を立設する構成が例示されている。
【先行技術文献】
【特許文献】
【０００５】
【特許文献１】特開２０１３−１１９６４号公報
【発明の概要】
【発明が解決しようとする課題】
【０００６】
しかしながら、部品には寸法公差や組み込み精度のばらつき等があり、ペダルケースの開口部の寸法にもばらつきがあり得る。
このため、特許文献１に記載されているような挿入防止部を設けても、開口部の寸法のばらつき次第では、異物（足の指先や埃等）が挿入防止部の側部等を通り抜けて隙間からペダルケース内に侵入することが考えられる。
【０００７】
また、隙間からの異物の侵入を確実に防止しようとすると、挿入防止部を開口部よりもかなり大きめに形成する等の必要があるが、各種の開口部に対応できるように挿入防止部を大きくすると、演奏の邪魔になったり、外観上好ましくないという問題もある。
【０００８】
本発明は以上のような事情に鑑みてなされたものであり、部品に寸法のばらつき等がある場合でも足の指先等の異物がペダルケースとペダル本体との間の隙間に侵入するのを確実に防止することができるペダル装置を提供することを目的とするものである。
【課題を解決するための手段】
【０００９】
前記課題を解決するために、本発明に係るペダル装置は、
開口部を有するペダルケースと、
基端側が前記ペダルケース内に配置され、自由端側に配置された踏込部が前記開口部から前記ペダルケースの外部に突出するとともに、前記踏込部が踏み込み操作された際に下方に回動するペダル本体と、
前記ペダル本体の外周に取り付けられ、前記踏込部が踏み込み操作された際に前記ペダル本体と前記ペダルケースの前記開口部との間に生じる隙間を塞ぐように変形する変形部材と、
を備えることを特徴としている。
【発明の効果】
【００１０】
本発明によれば、部品に寸法のばらつき等がある場合でも足の指先等の異物がペダルケースとペダル本体との間の隙間に侵入するのを確実に防止することができるという効果を奏する。
【図面の簡単な説明】
【００１１】
【図１】第１の実施形態におけるペダル装置を上方向から見た平面図である。
【図２】図１におけるII-II線に沿うペダル装置の断面図であり、（ａ）は外力を加えられていない状態を示し、（ｂ）は踏込部を踏み込み操作した状態を示している。
【図３】図１におけるIII-III線に沿うペダル装置の断面図であり、（ａ）は外力を加えられていない状態を示し、（ｂ）は踏込部を踏み込み操作した状態を示している。
【図４】ペダル装置の模式的な要部正面図であり、（ａ）は外力を加えられていない状態を示し、（ｂ）は踏込部を踏み込み操作した状態を示している。
【図５】第２の実施形態におけるペダル装置の要部断面図であり、（ａ）は外力を加えられていない状態を示し、（ｂ）は踏込部を踏み込み操作した状態を示している。
【図６】ペダル装置の一変形例の模式的な要部正面図であり、（ａ）は外力を加えられていない状態を示し、（ｂ）は踏込部を踏み込み操作した状態を示している。
【発明を実施するための形態】
【００１２】
［第１の実施形態］
図１から図４（ａ）及び図４（ｂ）を参照しつつ、本発明に係るペダル装置の第１の実施形態について説明する。
なお、以下に述べる実施形態には、本発明を実施するために技術的に好ましい種々の限定が付されているが、本発明の範囲を以下の実施形態及び図示例に限定するものではない。
【００１３】
図１は、本実施形態におけるペダル装置を上方から見た模式的な平面図である。また、図２（ａ）及び図２（ｂ）は、図１におけるII-II線に沿う断面図であり、図３（ａ）及び図３（ｂ）は、図１におけるIII-III線に沿う断面図である。なお、図１では、内部構成を図示する都合上、カバー部材５を二点鎖線で示している。
図１等に示すように、ペダル装置１は、ペダルケース２、ペダル本体３及び変形部材６を備えている。
本実施形態では、後述するように、３つのペダル本体３（図１において、ペダル本体３ａ，３ｂ，３ｃ）がペダル装置１に設けられており、各ペダル本体３に変形部材６が取り付けられている。
【００１４】
ペダルケース２は、ペダル本体３を支持するペダルシャーシ４と、このペダルシャーシの４の後部側（図２（ａ）及び図２（ｂ）において右側）を覆うカバー部材５とを備えている。
ペダルシャーシ４の後部（図２（ａ）及び図２（ｂ）において右側）には、ペダル本体３を支持するペダル支持部４１が設けられている。
本実施形態においてペダル支持部４１は、後述するペダル本体３の基端部３１の両側部にそれぞれ配置される一対の板状部材である。
図１に示すように、一対のペダル支持部４１には、間にペダル本体３の基端部３１を挟み込んだ状態で軸部材４２が挿通されるようになっている。これにより、ペダル本体３は、この軸部材４２の軸中心を回転中心として上下方向（図２（ａ）及び図２（ｂ）において上下方向）に回動可能となっている。
なお、ペダルシャーシ４においてペダル本体３を上下方向に回動可能に支持する構成や、ペダル支持部４１の形状、配置等はここで例示したものに限定されない。
【００１５】
ペダルシャーシ４の前側（図２（ａ）及び図２（ｂ）において左側）の先端部には、ペダル本体３の後述する踏込部３２を踏み込んだ際におけるペダル本体３の下限位置を規制する下限ストッパ部４３が設けられている。
下限ストッパ部４３は、ペダル本体３の踏込部３２を踏み込んだ際に、ペダル本体３の裏面に突き当たり、ペダル本体３が下がり過ぎないように位置を規制する。
なお、下限ストッパ部４３の上端部には弾性部材等の緩衝部材を配置して、ペダル本体３が突き当てられた際の衝撃を吸収可能に構成されることが好ましい。
【００１６】
また、ペダルシャーシ４の上面であって、各ペダル本体３のスイッチ押圧部３３（後述）に対応する位置には、スイッチ部４６が設けられている。
このスイッチ部４６は、内部に図示しない可動接点が設けられ弾性変形可能なドーム状の膨出部４４と、この膨出部４４の下に配置されたスイッチ基板４５とを備えている。スイッチ基板４５の上面には膨出部４４内の可動接点に対して接離可能に構成された固定接点が設けられている。
スイッチ部４６は、ペダル本体３のスイッチ押圧部３３によって膨出部４４が押圧され、膨出部４４内の可動接点が固定接点に接触するとスイッチ信号が出力されるように構成されている。
【００１７】
また、ペダルシャーシ４の上面には、ペダル本体３を上方に押し上げるための図示しない付勢部材が設けられている。付勢部材は、例えばコイルばね等で構成されている。
ペダル本体３は、外力が加わらない状態において付勢部材によって上方に押し上げられた状態（例えば、図２（ａ）に示す状態）となる。また、ペダル本体３の踏込部３２を踏み込む踏み込み操作が行われると、この付勢部材の付勢力に抗してペダル本体３が下方に押し下げられ（例えば、図２（ｂ）に示す状態）、踏み込み操作が停止されると、再びペダル本体３が付勢部材によって上方に押し上げられた状態となる。
なお、ペダル本体３を上方向に付勢する構成はここに例示したものに限定されない。
【００１８】
カバー部材５は、下側が開放された箱状の部材である。
カバー部材５の前方側（図２（ａ）及び図２（ｂ）において左側）には、下側が開放された切欠き部５１が形成されている。
本実施形態では、図１、図２（ａ）及び図２（ｂ）に示すように、ペダルシャーシ４の後方部分を覆うように、カバー部材５をペダルシャーシ４の上に取り付けることにより、本実施形態のペダルケース２が形成される。
なお、カバー部材５をペダルシャーシ４に取り付ける構成は特に限定されず、例えば図示しないネジ等によって固定される。
【００１９】
また、カバー部材５をペダルシャーシ４に取り付けた状態において、ペダルケース２の前方側（図２（ａ）及び図２（ｂ）において左側）には、カバー部材５の切欠き部５１とペダルシャーシ４の上面とにより開口部２１が形成される。
この開口部２１は、ペダル本体３の幅（図１において横方向の長さ）よりも広い幅を有し、ペダル本体３が上下方向に回動した際に、十分な移動量を確保できるだけの高さを有するように形成されている。
【００２０】
なお、本実施形態のペダル本体３は、先端側（図２（ａ）及び図２（ｂ）において左側）の幅が、基端側（図２（ａ）及び図２（ｂ）において右側）の幅よりも大きくなっているが、開口部２１の幅は、ペダル本体３のうち、少なくとも開口部２１の近傍に位置する部分の幅よりも大きく形成されていればよい。
また、本実施形態において、上記「十分な移動量を確保できるだけの高さ」とは、ペダル本体３のスイッチ押圧部３３が膨出部４４に非接触となる位置からスイッチ押圧部３３が膨出部４４を押圧して膨出部４４内の可動接点を固定接点に接触させることのできる位置までのペダル本体３の移動幅と同じかこれよりも高い高さをいう。
【００２１】
本実施形態において、ペダル本体３は、ソフトペダルを構成するペダル本体３ａ、ソステヌートペダルを構成するペダル本体３ｂ及びダンパーペダルを構成するペダル本体３ｃからなる。
なお、ペダル装置１に設けられるペダル本体３の数はこれに限定されず、例えば、１本のみ又は２本のみしかペダル本体３を備えないものでもよい。また、各ペダル本体３に割り当てられる役割も上記例に限定されない。
【００２２】
各ペダル本体３は、基端側（後方側、図２（ａ）及び図２（ｂ）において右側）に配置された基端部３１がペダルケース２内に配置され、自由端側（先端側、図２（ａ）及び図２（ｂ）において左側）に配置された踏込部３２がペダルケース２の開口部２１からペダルケース２の外部に突出するように設けられている。
前述のように、ペダル本体３は、軸部材４２の軸中心を回転中心として上下方向に回動可能となっており、外力が加わらない状態では付勢部材によって上方に押し上げられた状態（例えば、図２（ａ）に示す状態）となっているが、踏込部３２を踏み込む踏み込み操作が行われると、ペダル本体３はこの付勢部材の付勢力に抗して押し下げられて下方に回動する（図２（ｂ）に示す状態）。また、ペダル本体３は、踏み込み操作が停止されると、付勢部材によって押し上げられて上方に回動し、再度元の位置（図２（ａ）に示す位置）に復帰する。
【００２３】
ペダル本体３は、図１に示すように、自由端側（先端側）の幅が広く、基端部（後方側）の幅が狭くなっており、外形形状がほぼ杓子形状となっている。
ペダル本体３は下面が開口した中空部材であり、ペダル本体３の自由端側（先端側）の下側面には、ペダル本体３が下方に押し下げられた際にペダルシャーシ４の下限ストッパ部４３が突き当たるようになっている。
すなわち、踏込部３２が踏み込み操作されてペダル本体３が下方に回動すると、ペダル本体３の下側面にペダルシャーシ４の下限ストッパ部４３が当接し、ペダル本体３の下方における位置が規制される。
【００２４】
ペダル本体３における基端部３１よりも前側（図２（ａ）における左側）であり、ペダルシャーシ４のスイッチ部４６に対応する位置には、スイッチ部４６の膨出部４４を押圧するスイッチ押圧部３３が設けられている。
スイッチ押圧部３３は、踏込部３２が踏み込み操作されてペダル本体３が下方に回動したときに、膨出部４４を押圧して弾性変形させ、この弾性変形した膨出部４４内の可動接点をスイッチ基板４５の固定接点に接触させてスイッチ信号を出力させるように構成されている。
【００２５】
また、本実施形態では、ペダル本体３におけるペダルケース２の開口部２１近傍に、ペダル本体３の外周に取り付けられ、外力が加えられることにより変形可能な変形部材６が設けられている。
図４（ａ）及び図４（ｂ）は、本実施形態のペダル本体３及び変形部材６をペダル本体３の先端側から見た模式図である。
なお、図４（ａ）及び図４（ｂ）では、ペダルケース２の開口部２１と変形部材６との関係を見やすくするために、本来変形部材６よりも手前に存在する開口部２１とペダル本体３の踏込部３２を二点鎖線で示している。また、図４（ａ）及び図４（ｂ）では、変形部材６のみを断面にして示している。
図１、図２（ａ）及び図２（ｂ）に示すように、本実施形態の変形部材６は、ペダルケース２における開口部２１の内側に配置されている。また、本実施形態では、変形部材６は、ペダルケース２における開口部２１の内側面に当接している。なお、変形部材６はペダルケース２における開口部２１の外側に配置されていてもよい。
【００２６】
図３（ａ）及び図３（ｂ）、図４（ａ）及び図４（ｂ）に示すように、本実施形態の変形部材６は、袋状の収容部材６１と、この収容部材６１内に収容（封入）され収容部材６１内において流動可能な流動体６２とで構成されている。
収容部材６１は、例えば樹脂（例えばポリ塩化ビニル（PVC））等で形成された中空のリング状の部材である。収容部材６１は、繰り返しの変形、伸縮にも耐えることのできる、ある程度の強度及び柔軟性を有する材料で形成されている。
また、流動体６２は、例えばグリス等の粘度の高い油やゲル状の材料等で構成されている。なお、流動体６２は、ある程度の温度変化があっても変質せず、円滑な流動性を失わない材料で構成されることが好ましい。
なお、収容部材６１及び流動体６２を形成する材料は上記の例に限定されない。
【００２７】
また、本実施形態において、変形部材６の外側の幅及び高さは、外力が加えられる前の状態（すなわち、図２（ａ）、図３（ａ）、図４（ａ）に示す状態）においてもペダルケース２の開口部２１の幅及び高さよりも多少大きく形成されている。これにより、変形部材６の変形前においても開口部２１からの異物の侵入が防止される。
なお、変形部材６の大きさや形状は図示例に限定されない。
【００２８】
変形部材６は、踏込部３２が踏み込み操作された際にペダル本体３とペダルケース２の開口部２１との間に生じる隙間を塞ぐように変形するものである。
本実施形態では、ペダル本体３の踏込部３２が踏み込み操作された際にペダル本体３の下側に配置されていた流動体６２が収容部材６１内を上方に流動することにより変形部材６が変形するようになっている。
【００２９】
すなわち、本実施形態の収容部材６１内には、当該収容部材６１に収容可能な容量よりもある程度少ない量の流動体６２が収容されている。
これにより、ペダル本体３に外力が加えられていない状態（すなわち、図２（ａ）に示す状態）では、流動体６２は重力に従い収容部材６１の下部に溜まった状態となり、収容部材６１の上部まで流動体６２が十分に行き渡らず、変形部材６の上部が多少潰れた状態（図２（ａ）、図３（ａ）、図４（ａ）に示す状態）となっている。
これに対して、ペダル本体３の踏込部３２が踏み込み操作（図３（ｂ）の右端の変形部材６及び図４（ｂ）において下方向の矢印で示す操作）されると、変形部材６のうち、ペダル本体３の下側に配置されていた部分がペダル本体３とペダルシャーシ４との間で押し潰され、この押圧力により、収容部材６１の下部に溜まっていた流動体６２が、図３（ｂ）の右端の変形部材６及び図４（ｂ）において上方向の矢印で示すように、収容部材６１内を上方に押し上げられる。そして、このように流動体６２が上方に流動することで、潰れていた収容部材６１の上部が流動体６２によって満たされて、変形部材６が上方に立ち上がった状態（図２（ｂ）、図３（ｂ）の右端の変形部材６及び図４（ｂ）に示す状態）となる。
【００３０】
ペダル本体３の踏込部３２が踏み込み操作されると、ペダル本体３が下方に下がる分、ペダルケース２の開口部２１の上部下端面とペダル本体３の上面との間に大きく隙間が生じる。
この場合でも、本実施形態では、上記のように変形部材６が上方に立ち上がるように変形するため、図２（ｂ）、図３（ｂ）の右端の変形部材６及び図４（ｂ）に示すように、ペダル本体３とペダルケース２の開口部２１との間に生じる隙間を変形部材６によって塞ぐことができる。
【００３１】
次に、本実施形態におけるペダル装置の作用について説明する。
まず、ペダル本体３に外力が加わっていない状態（すなわち、ペダル本体３の踏込部３２が踏み込み操作されていない状態）では、ペダル本体３は、付勢部材によって上方に押し上げられ、図２（ａ）に示すように、ペダル本体３の上面が開口部２１の上部下端面に当接する位置でペダル本体３の上方向の位置が規制されている。
このとき、ペダル本体３のスイッチ押圧部３３は、スイッチ部４６の膨出部４４に対して非接触状態となっており、膨出部４４内の可動接点はスイッチ基板４５の固定接点から離れ、スイッチがＯＦＦ状態となっている。
【００３２】
この状態において、変形部材６は、図２（ａ）、図３（ａ）、図４（ａ）に示すように、流動体６２が収容部材６１の下部に溜まり、変形部材６の上部が多少潰れた状態となっている。
なお、本実施形態では、このように変形部材６の上部が多少潰れた状態でも、図２（ａ）、図３（ａ）、図４（ａ）に示すように、変形部材６の上部がペダルケース２の開口部２１の上端位置よりも上にある。このため、開口部２１とペダル本体３との間に僅かに隙間が生じていたとしても、変形部材６によってこの隙間を塞ぐことができる。
また、本実施形態では、変形部材６の外側の幅及び高さが、ペダルケース２の開口部２１の幅及び高さよりも大きく形成されているため、開口部２１とペダル本体３の上部との間の隙間のみならず、開口部２１とペダル本体３の側部との間の隙間及び開口部２１とペダル本体３の下部との間の隙間も変形部材６によって塞がれた状態となる。
【００３３】
次に、ペダル本体３を踏み込む踏み込み操作が行われると、ペダル本体３は、付勢部材の付勢力に抗して下方に押し下げられ、軸部材４２の軸中心を回転中心として下方に回動する（例えば、図２（ｂ）参照）。そして、ペダル本体３は、ペダル本体３の下側面にペダルシャーシ４の下限ストッパ部４３が当接する位置まで下がったところで下方における位置が規制される。
ペダル本体３が下方に押し下げられると、スイッチ押圧部３３がスイッチ部４６の膨出部４４を押圧して弾性変形させ、この弾性変形した膨出部４４内の可動接点をスイッチ基板４５の固定接点に接触させる。これにより、スイッチ基板４５からスイッチ信号が出力されてスイッチがＯＮ状態となる。
【００３４】
このように、ペダル本体３の踏込部３２が踏み込み操作されると、変形部材６のうち、ペダル本体３の下側に配置されていた部分がペダル本体３とペダルシャーシ４との間で押し潰され、収容部材６１の下部に溜まっていた流動体６２が収容部材６１内を上方に押し上げられる。これにより、潰れていた収容部材６１の上部が流動体６２によって満たされて、変形部材６が上方に立ち上がった状態（図２（ｂ）、図３（ｂ）の右端の変形部材６及び図４（ｂ）に示す状態）となる。
ペダル本体３の踏込部３２が踏み込み操作されると、ペダル本体３が下方に下がる分、ペダルケース２の開口部２１とペダル本体３との間に大きく隙間が生じるが、変形部材６が上方に立ち上がるように変形することにより、図２（ｂ）等に示すように、ペダル本体３とペダルケース２の開口部２１との間に生じる隙間が変形部材６によって塞がれる。
また、本実施形態では、図２（ｂ）等に示すように、上部まで大きく立ち上がった（膨らんだ）変形部材６が、ペダルケース２の内側から開口部２１に押し付けられて密着する。これにより、開口部２１の上下左右全てが変形部材６によって閉塞された状態となり、足の指先や埃等の異物が開口部２１からペダルケース２内に侵入するのを確実に防ぐことができる。
【００３５】
なお、ペダル本体３の踏込部３２の踏み込み操作が解除されると、ペダル本体３は、付勢部材の付勢力によって上方に回動し、再び元の位置まで上昇する。
これにより、スイッチ押圧部３３は膨出部４４から離間し、膨出部４４は弾性変形して元の形状に復帰し、膨出部４４内の可動接点もスイッチ基板４５の固定接点から離間して、スイッチはＯＦＦ状態となる。
また、変形部材６は、下部を押し潰された状態から開放されて、流動体６２が重力によって徐々に収容部材６１の下部に移動する。これにより、変形部材６は、上部が多少潰れた元の状態に戻る。
【００３６】
以上のように、本実施形態によれば、踏込部３２が踏み込み操作された際に、変形部材６がペダル本体３とペダルケース２の開口部２１との間に生じる隙間を塞ぐように変形する。
これにより、ペダル本体３が押し下げられた際にペダルケース２の開口部２１との間に大きく隙間を生じても、この隙間を変形部材６が塞ぐことで、足の指先や埃等の異物が隙間からペダルケース２内に侵入するのを確実に防止することができる。このため、足の指先等がペダル本体３とペダルケース２の開口部２１との間に挟まれて怪我をしたり、埃等の異物がペダルケース２内に侵入することでペダル装置１が故障するのを防止することができる。
また、本実施形態では、外力が加えられることにより変形可能な変形部材６によって開口部２１とペダル本体３との間に生じる隙間を塞ぐ構成としている。このため、開口部２１の形状や、ペダル本体３と開口部２１との間の距離（すなわち、隙間の幅）が多少異なっても、柔軟に対応することができ、部品の寸法公差、形状や寸法のばらつきや、組み込み誤差等にかかわらず、確実に隙間を塞いで、ペダルケース２内への異物の侵入を防ぐことができる。
また、変形部材６がペダル本体３の外周に取り付けられていることにより、開口部２１とペダル本体３の上部との間の隙間のみならず、開口部２１とペダル本体３の側部との間の隙間及び開口部２１とペダル本体３の下部との間の隙間も変形部材６によって塞ぐことができる。これにより、より確実にペダルケース２内への異物の侵入を防ぐことができる。
また、本実施形態では、変形部材６が袋状の収容部材６１と、この収容部材６１内に収容され収容部材６１内において流動可能な流動体６２とで構成されている。このため、開口部２１とペダル本体３との間の隙間を塞ぐための構成を簡易かつ比較的安価に実現することができる。
また、本実施形態では、変形部材６がペダルケース２における開口部２１の内側に配置されている。このため、外部から変形部材６が見えず、ペダル装置１の外観を損ねない。
また、ペダル本体３は、踏込部３２が踏み込み操作された際に下方（図２（ｂ）において下側）に傾く。ペダル本体３が下方に傾くと、開口部２１の内側に配置された変形部材６の上部は、図２（ｂ）に示すように開口部２１の上側に対して押し付けられた状態となる。このため、開口部２１とペダル本体３の上部との間に生じる隙間をより確実に塞ぐことができる。
【００３７】
［第２の実施形態］
次に、図５（ａ）及び図５（ｂ）を参照しつつ、本発明に係るペダル装置の第２の実施形態について説明する。なお、本実施形態は、変形部材の構成等が第１の実施形態と異なるものであるため、以下においては、特に第１の実施形態と異なる点について説明する。
【００３８】
図５（ａ）及び図５（ｂ）は、本実施形態におけるペダル装置の要部断面図であり、図５（ａ）は外力を加えられていない状態を示し、図５（ｂ）は踏込部を踏み込み操作した状態を示している。
図５（ｂ）に示すように、本実施形態の変形部材７は、第１の実施形態と同様、収容部材内に流動体が収容されたものであるが、収容部材内に収容される流動体の量が第１の実施形態よりも少なくなっている。
変形部材７は、踏込部３２を踏み込み操作した場合には、第１の実施形態と同様に、上部が大きく立ち上がって開口部２１を塞ぐようになっている。
これに対して、ペダル本体３に外力が加えられていない状態では、図５（ａ）に示すように、変形部材７の上部がペダルケース２の開口部２１を完全に塞ぐことができない大きさ（高さ）まで萎むようになっている。
【００３９】
図５（ａ）及び図５（ｂ）に示すように、本実施形態のペダル本体３の上面であって開口部２１の外側近傍位置には、異物の侵入を防止する異物侵入防止部材８が設けられている。
異物侵入防止部材８は、例えばペダル本体３の幅方向に延在する板状の部材であり、ペダル本体３が上に上がった状態においてペダルケース２の開口部２１とペダル本体３の上面との間の隙間を塞ぐようになっている。
なお、ペダル本体３が押し下げられて開口部との間に大きな隙間が生じたときには、変形部材７が変形してこの隙間を塞ぐため、異物侵入防止部材８は、ペダル本体３が上に上がった状態においてペダル本体３の上面と開口部２１との間に生じる僅かな隙間を塞ぐことができる程度の大きさ（高さ）があればよい。
【００４０】
なお、その他の構成は、第１の実施形態と同様であることから、同一部材には同一の符号を付して、その説明を省略する。
【００４１】
次に、本実施形態におけるペダル装置の作用について説明する。
本実施形態では、ペダル本体３に外力が加わっていない状態（すなわち、ペダル本体３の踏込部３２が踏み込み操作されていない状態）では、ペダル本体３は、付勢部材によって上方に押し上げられ、図５（ａ）に示すように、ペダル本体３の上面が開口部２１の上部下端面に当接する位置でペダル本体３の上方向の位置が規制されている。
この状態において、変形部材７は、流動体が収容部材の下部に溜まり、変形部材７の上部が潰れて、変形部材７の上部がペダルケース２の開口部２１を完全に塞ぐことができない高さまで萎んだ状態となっている。
この場合、ペダル本体３の上面であって開口部２１の手前側には、異物侵入防止部材８が配置されているため、ペダル本体３が上に上がった状態においてペダル本体３の上面と開口部２１との間に生じる隙間は、この異物侵入防止部材８によって塞がれる。
【００４２】
また、ペダル本体３を踏み込む踏み込み操作が行われると、ペダル本体３は、付勢部材の付勢力に抗して下方に押し下げられ、軸部材４２の軸中心を回転中心として下方に回動する（例えば、図５（ｂ）参照）。
ペダル本体３の踏込部３２が踏み込み操作されると、変形部材７のうち、ペダル本体３の下側に配置されていた部分がペダル本体３とペダルシャーシ４との間で押し潰され、収容部材の下部に溜まっていた流動体が収容部材内を上方に押し上げられる。これにより、潰れていた収容部材の上部が流動体７２によって満たされて、変形部材７が上方に立ち上がった状態（図５（ｂ）に示す状態）となる。
ペダル本体３が下方に下がった分、ペダルケース２の開口部２１とペダル本体３との間に大きく隙間が生じても、変形部材７がこのように上方に立ち上がるように変形することにより、図５（ｂ）に示すように、ペダル本体３とペダルケース２の開口部２１との間に生じる隙間が変形部材７によって塞がれる。
【００４３】
なお、ペダル本体３の踏込部３２の踏み込み操作が解除されると、ペダル本体３は、付勢部材の付勢力によって上方に回動し、再び元の位置まで上昇する。
また、変形部材７は、下部を押し潰された状態から開放されて、流動体が重力によって徐々に収容部材の下部に移動する。これにより、変形部材７は、上部が潰れた元の状態に戻る。
この状態において、ペダル本体３の上面と開口部２１との間に生じる隙間は、異物侵入防止部材８によって塞がれる。
【００４４】
なお、その他の点については、第１の実施形態と同様であることから、その説明を省略する。
【００４５】
以上のように、本実施形態によれば、第１の実施形態と同様の効果を得られる他、以下の効果を得ることができる。
すなわち、本実施形態では、変形部材７とは別に、ペダル本体３の上面に異物侵入防止部材８が設けられている。
これにより、ペダル本体３の踏込部３２による踏み込み操作が行われない状態では異物侵入防止部材８によって異物の侵入が防止されるため、変形部材７の収容部材内には変形部材７の下側部分が押圧されて初めて上部に流動体が配置される程度の量の流動体を収容すれば足りる。このため、変形部材７を小型化することができる。
また、変形部材７と異物侵入防止部材８との両方によってペダルケース２の開口部２１とペダル本体３との間の隙間を塞ぐため、より確実に異物の侵入を防止することができる。
【００４６】
なお、本実施形態では、異物侵入防止部材８が、ペダル本体３の上面であって開口部２１の外側近傍位置に配置された板状部材である場合を例示したが、異物侵入防止部材の構成はこれに限定されない。
異物侵入防止部材は、ペダルケース２の開口部２１とペダル本体３との間の隙間を塞ぐことができるものであればよく、例えば、ペダルケース２の側に異物侵入防止部材が設けられていてもよい。
【００４７】
また、異物侵入防止部材の形状、大きさ等は、ここに例示したものに限定されない。
例えば、踏み込み動作が行われた際に生じる大きな隙間にも対応できる程度の大きさの異物侵入防止部材を備えてもよい。
この場合にも、変形部材を設けることで、開口部２１における上下左右いずれの辺についても隙間を塞ぐことができるとともに、開口部２１の上部に生じる隙間については異物侵入防止部材と変形部材の両方により異物の侵入を防ぐことで、隙間からの異物の侵入をより確実に防ぐことができる。
【００４８】
なお、以上本発明の実施形態について説明したが、本発明は、かかる実施形態に限定されず、その要旨を逸脱しない範囲で、種々変形が可能であることは言うまでもない。
【００４９】
例えば、上記各実施形態では、変形部材がリング状の部材である場合を例示したが、変形部材の形状はこれに限定されない。例えば、図６（ａ）及び図６（ｂ）に示すように、変形部材９は、下部の一部に開口を有するほぼＣ字型に形成されていてもよい。
この場合も、変形部材９のうちペダル本体３の下側に配置される部分がペダル本体３とペダルシャーシ４との間で押し潰された際に、変形部材９を上方に立ち上げることができる程度の十分な量の流動体９２が収容部材９１の上部に移動するように構成する。
これにより、図６（ｂ）に示すように、各実施形態に示したのと同様、変形部材９を変形させて、ペダル本体３とペダルケース２の開口部２１との間に生じる隙間を塞ぐことができる。
【００５０】
また、上記各実施形態では、変形部材が開口部２１の内側に配置されている場合を例示したが、変形部材はペダルケース２の開口部２１近傍に配置されていればよく、ここに例示した配置に限定されない。例えば、変形部材を開口部２１の外側に配置されてもよい。
この場合にも、変形部材が上方に立ち上がるように変形することにより、ペダル本体３とペダルケース２の開口部２１との間に生じる隙間を変形部材によって塞ぎ、異物の侵入を防ぐことができる。
なお、この場合には、変形部材が外部から視認できないようにカバー等の部材をさらに設けることが好ましい。
【００５１】
また、変形部材は、外力が加えられることで変形し、開口部２１を塞ぐ形状となるものであればよく、例えば、踏込部３２が踏み込み操作された際にペダル本体３の下側に配置されている部分が押圧されることによりペダル本体３の上方に膨出変形するものであってもよい。
具体的には、変形部材は、例えば、シリコーン等の、変形可能な柔軟性を有する樹脂等で形成されていてもよい。
変形部材をこのような構成のものとすることで、変形部材を簡易に形成することができ、生産性を向上させることができる。
【００５２】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
開口部を有するペダルケースと、
基端側が前記ペダルケース内に配置され、自由端側に配置された踏込部が前記開口部から前記ペダルケースの外部に突出するとともに、前記踏込部が踏み込み操作された際に下方に回動するペダル本体と、
前記ペダル本体の外周に取り付けられ、前記踏込部が踏み込み操作された際に前記ペダル本体と前記ペダルケースの前記開口部との間に生じる隙間を塞ぐように変形する変形部材と、
を備えることを特徴とするペダル装置。
＜請求項２＞
前記変形部材は、袋状の収容部材と、この収容部材内に収容され前記収容部材内において流動可能な流動体とで構成されており、
前記変形部材は、前記踏込部が踏み込み操作された際に前記ペダル本体の下側に配置されていた前記流動体が前記収容部材内を上方に流動することにより変形することを特徴とする請求項１に記載のペダル装置。
＜請求項３＞
前記変形部材は、前記踏込部が踏み込み操作された際に前記ペダル本体の下側に配置されている部分が押圧されることにより前記ペダル本体の上方に膨出変形することを特徴とする請求項１に記載のペダル装置。
＜請求項４＞
前記変形部材は、前記ペダルケースにおける前記開口部の内側又は外側に配置されていることを特徴とする請求項１から請求項３のいずれか一項に記載のペダル装置。
【符号の説明】
【００５３】
１              ペダル装置
２              ペダルケース
３              ペダル本体
４              ペダルシャーシ
５              カバー部材
６              変形部材
３１            基端部
３２            踏込部
６１            収容部材
６２            流動体
【図１】
2015184682.tif 000003
【図２】
2015184682.tif 000004
【図３】
2015184682.tif 000005
【図４】
2015184682.tif 000006
【図５】
2015184682.tif 000007
【図６】
2015184682.tif 000008